(57)【特許請求の範囲】
【請求項１】
内側に家庭用薄葉紙を収納する容器本体と、前記容器本体に着脱自在に取り付けられ、前記容器本体に収納された家庭用薄葉紙を取り出すための取出部が形成された蓋体と、を備えた家庭用薄葉紙収納容器において、
前記取出部は、
リング状に形成されたリング部と、
前記リング部と対向して設けられた複数の羽根部材と、
前記複数の羽根部材を同一面上に配置して前記家庭用薄葉紙を取り出すための取出孔を形成する取出状態と、前記取出状態の各羽根部材を前記同一面に直交する軸回りに回動させて取出孔を拡張する拡張状態と、を切換える切換部と、を備えることを特徴とする家庭用薄葉紙収納容器。
【請求項２】
請求項１に記載の家庭用薄葉紙収納容器において、
前記切換部は、
前記複数の羽根部材の前記リング部との対向面と反対の面に対向して設けられ、中心軸回りに回動可能なリング状の回動部と、
前記リング部と各羽根部材とを連結する第１連結軸と、
前記回動部と各羽根部材とを連結する第２連結軸と、
を有し、
前記回動部が回動することで前記第１連結軸回りに前記羽根部材が回動するように構成されていることを特徴とする家庭用薄葉紙収納容器。
【請求項３】
請求項２に記載の家庭用薄葉紙収納容器において、
前記切換部は、
前記回動部の回動を操作する操作部を備えることを特徴とする家庭用薄葉紙収納容器。
【請求項４】
請求項２に記載の家庭用薄葉紙収納容器において、
前記容器本体と前記蓋体とが螺合により連結され、
前記容器本体は、周方向に所定の間隔で内面から上方に突出して設けられた複数の突起部を有し、
前記切換部は、
前記回動部の周面から所定の間隔で外方に突出する突部を備え、
前記容器本体と前記蓋体との螺合の際の回動操作時に、前記突部が前記突起部と係合して前記回動部が回動することで、前記取出状態となるように構成されていることを特徴とする家庭用薄葉紙収納容器。
【請求項５】
請求項１に記載の家庭用薄葉紙収納容器において、
前記切換部は、
前記複数の羽根部材の下面に対向して設けられ、上面部がリング状の筒体と、
前記リング部と各羽根部材とを連結する第１連結軸と、
前記筒体の上面部と各羽根部材とを連結する第２連結軸と、を備え、
前記容器本体の外周面と前記筒体の内周面とが螺合により連結されるとともに、前記容器本体と前記筒体との螺合終了後に、前記リング部を回転させることにより前記羽根部材が前記第２連結軸回りに回動して前記取出状態となるように構成されていることを特徴とする家庭用薄葉紙収納容器。
【請求項６】
請求項１に記載の家庭用薄葉紙収納容器において、
前記容器本体と前記蓋体とが螺合により連結され、
前記リング部は、前記蓋体の回動に連動して回動可能に構成されており、
前記切換部は、
前記複数の羽根部材の下面に対向して設けられたリング状の回動部と、
前記リング部と各羽根部材とを連結する第１連結軸と、
前記回動部と各羽根部材とを連結する第２連結軸と、
を有し、
前記容器本体と前記蓋体との螺合の際の回動操作時に、前記容器本体の上端部が前記回動部と係合して前記回動部が回動不能状態とされ、当該回動不能状態において前記蓋体を更に回動させることにより、前記羽根部材が前記第２連結軸回りに回動して前記取出状態となるように構成されていることを特徴とする家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。そして、上記家庭用薄葉紙収納容器においては、容器内部に収納された家庭用薄葉紙を湿潤状態に保つため、また、ロール状に巻回された家庭用薄葉紙をミシン目のところで切り離し可能に保持するため、取出し口を小さくして容器内部を密封する必要があった。そのため、家庭用薄葉紙を容器内部に装填する際、上記取出し口の小ささに起因して、その家庭用薄葉紙を取出し口に通し難く、装填作業に手間がかかるという問題があった。
【０００３】
そこで、例えば、含水性シートを挿通する第１取出孔が形成された蓋体と、第１取出孔に連通し第２取出孔が形成された開口量調整部材と、を備え、第１及び第２取出孔が積重して形成される含水性シートの通過経路の開口量が、開口量調整部材の移動量および移動方向に対応して調整可能に構成された湿潤シート収容装置が知られている（例えば、特許文献１等参照）。
【先行技術文献】
【特許文献】
【０００４】
【特許文献１】特開平１１−２２１１７０号
【０００５】
上記特許文献１記載の発明によると、開口量調整部材を所定の方向に回動させて形成される通過経路の開口を、回動量に応じて調整することが可能となるので、家庭用薄葉紙を取出し易いように取出し口の大きさを変更することが可能となる。
【発明の概要】
【発明が解決しようとする課題】
【０００６】
しかしながら、上記特許文献１記載の発明では、家庭用薄葉紙の装填作業の際、最初、第１取出孔に家庭用薄葉紙を挿通させた後、第２取出孔に移動させる必要があるため、必ずしも使用者の装填作業の手間が軽減するとはいえない。
【０００７】
本発明の課題は、家庭用薄葉紙の装填作業を容易に行うことが出来る家庭用薄葉紙収納容器を提供することにある。
【課題を解決するための手段】
【０００８】
以上の課題を解決するため、請求項１に記載の発明は、内側に家庭用薄葉紙を収納する容器本体と、前記容器本体に着脱自在に取り付けられ、前記容器本体に収納された家庭用薄葉紙を取り出すための取出部が形成された蓋体と、を備えた家庭用薄葉紙収納容器において、前記取出部は、リング状に形成されたリング部と、前記リング部と対向して設けられた複数の羽根部材と、前記複数の羽根部材を同一面上に配置して前記家庭用薄葉紙を取り出すための取出孔を形成する取出状態と、前記取出状態の各羽根部材を前記同一面に直交する軸回りに回動させて取出孔を拡張する拡張状態と、を切換える切換部と、を備えることを特徴とする。
【０００９】
請求項２に記載の発明は、請求項１に記載の家庭用薄葉紙収納容器において、前記切換部は、前記複数の羽根部材の前記リング部との対向面と反対の面に対向して設けられ、中心軸回りに回動可能なリング状の回動部と、前記リング部と各羽根部材とを連結する第１連結軸と、前記回動部と各羽根部材とを連結する第２連結軸と、を有し、前記回動部が回動することで前記第１連結軸回りに前記羽根部材が回動するように構成されていることを特徴とする。
【００１０】
請求項３に記載の発明は、請求項２に記載の家庭用薄葉紙収納容器において、前記切換部は、前記回動部の回動を操作する操作部を備えることを特徴とする。
【００１１】
請求項４に記載の発明は、請求項２に記載の家庭用薄葉紙収納容器において、前記容器本体と前記蓋体とが螺合により連結され、前記容器本体は、周方向に所定の間隔で内面から上方に突出して設けられた複数の突起部を有し、前記切換部は、前記回動部の周面から所定の間隔で外方に突出する突部を備え、前記容器本体と前記蓋体との螺合の際の回動操作時に、前記突部が前記突起部と係合して前記回動部が回動することで、前記取出状態となるように構成されていることを特徴とする。
【００１２】
請求項５に記載の発明は、請求項１に記載の家庭用薄葉紙収納容器において、前記切換部は、前記複数の羽根部材の下面に対向して設けられ、上面部がリング状の筒体と、前記リング部と各羽根部材とを連結する第１連結軸と、前記筒体の上面部と各羽根部材とを連結する第２連結軸と、を備え、前記容器本体の外周面と前記筒体の内周面とが螺合により連結されるとともに、前記容器本体と前記筒体との螺合終了後に、前記リング部を回転させることにより前記羽根部材が前記第２連結軸回りに回動して前記取出状態となるように構成されていることを特徴とする。
【００１３】
請求項６に記載の発明は、請求項１に記載の家庭用薄葉紙収納容器において、前記容器本体と前記蓋体とが螺合により連結され、前記リング部は、前記蓋体の回動に連動して回動可能に構成されており、前記切換部は、前記複数の羽根部材の下面に対向して設けられたリング状の回動部と、前記リング部と各羽根部材とを連結する第１連結軸と、前記回動部と各羽根部材とを連結する第２連結軸と、を有し、前記容器本体と前記蓋体との螺合の際の回動操作時に、前記容器本体の上端部が前記回動部と係合して前記回動部が回動不能状態とされ、当該回動不能状態において前記蓋体を更に回動させることにより、前記羽根部材が前記第２連結軸回りに回動して前記取出状態となるように構成されていることを特徴とする。
【発明の効果】
【００１４】
本発明によれば、切換部により羽根部材を回動させることで、取出孔の取出状態と拡張状態とを切換えることができる。そのため、家庭用薄葉紙の装填作業の際には切換部により取出孔を拡張状態にすることで家庭用薄葉紙を取出孔に容易に通すことができ、その後、切換部を切換えるだけで簡単に取出孔を取出状態に戻すことが出来る。
したがって、本発明は、家庭用薄葉紙の装填作業を容易に行うことが出来る家庭用薄葉紙収納容器であるといえる。
【図面の簡単な説明】
【００１５】
【図１】第１実施形態に係る家庭用薄葉紙収納容器を正面上方から見た斜視図である。
【図２】図１におけるII−II断面の家庭用薄葉紙収納容器において、容器本体を省略した横断面図である。
【図３】第１実施形態に係る複数の羽根部材が同一面上に配置された状態を説明するための模式図である。
【図４】第２実施形態に係る家庭用薄葉紙収納容器を正面上方から見た斜視図である。
【図５】図４におけるＶ−Ｖ断面の家庭用薄葉紙収納容器において、容器本体を省略した横断面図である。
【図６】第３実施形態に係る家庭用薄葉紙収納容器において、容器本体と蓋体を分離した状態をあらわす模式図である。
【図７】図６の家庭用薄葉紙収納容器において、容器本体を省略した横断面図である。
【図８】第４実施形態に係る家庭用薄葉紙収納容器において、容器本体を省略した横断面図である。
【図９】第４実施形態に係る複数の羽根部材が同一面上に配置された状態を説明するための模式図である。
【図１０】第５実施形態に係る家庭用薄葉紙収納容器において、容器本体を省略した横断面図である。
【発明を実施するための形態】
【００１６】
以下に、図面を参照して、本発明に係る家庭用薄葉紙収納容器の具体的な態様を詳細に説明する。ただし、発明の範囲は、図示例に限定されない。
【００１７】
（第１実施形態）
本実施形態に係る家庭用薄葉紙収納容器１００は、例えば、図１〜図３に示すように、内側にロール状の家庭用薄葉紙Ｐ（例えば、ロール状に巻かれたウェットシートやウェットティッシュ等のロールペーパー）を収納する容器本体１１と、この容器本体１１の上端に形成される開口を閉塞するように容器本体１１に着脱自在に取り付けられ、容器本体１１に収納された家庭用薄葉紙Ｐを取り出すための取出部１４が設けられた蓋体１２と、取出部１４を開閉するようにして蓋体１２の蓋体本体１３に回動自在に取り付けられたトグルキャップ１５と、等を備えて構成される。
なお、以下の説明では、家庭用薄葉紙収納容器１００の前後方向をＸ軸方向として、トグルキャップ１５の回動軸が設けられている側を後側とし、反対側を前側とする。さらに、正面視にて左右方向（幅方向）をＹ軸方向とし、上下方向をＺ軸方向とする。
【００１８】
容器本体１１は、例えば、図１及び図２に示すように、上下方向（Ｚ軸方向）を中心としてロール状に巻かれた家庭用薄葉紙Ｐを上面に載置する下底部を有するとともに上端部に開口部（図示省略）が設けられた有底円筒状をなし、上端部の外周面には周方向に沿って雄ネジ用のネジ溝（図示省略）が形成されている。また、容器本体１１は、例えば、ＰＥ（ポリエチレン）やＰＰ（ポリプロピレン）、或いは、ＡＢＳ樹脂等から形成されている。
【００１９】
蓋体１２は、例えば、貫通部１３２を有する蓋体本体１３と、蓋体本体１３における当該貫通部１３２に取り付けられた取出部１４と、を備えて構成される。
【００２０】
蓋体本体１３は、例えば、ＰＥ（ポリエチレン）やＰＰ（ポリプロピレン）、ＰＥＴ（ポリエチレンテレフタレート）等から形成されている。そして、蓋体本体１３は、上底部１３１を有するとともに下端部が開放された有底円筒状をなし、開放された下端部の内周面には容器本体１１の雄ネジ用のネジ溝と螺合する雌ネジ部１３３が設けられている。容器本体１１と蓋体本体１３とは、当該容器本体１１のネジ溝と雌ネジ部１３３との螺合により着脱自在に連結される。これにより、容器本体１１の開口部が開閉自在となり、図２に示すように、容器本体１１から蓋体１２を取り外した状態で、容器本体１１の内部に家庭用薄葉紙Ｐを収納したり取出したりすることが可能になっている。
【００２１】
蓋体本体１３の上底部１３１には、その略中央部に、当該蓋体本体１３が容器本体１１に取り付けられた状態で家庭用薄葉紙Ｐの取り出し方向（Ｚ軸方向）に貫通した平面視円形の貫通口が形成された貫通部１３２が設けられ、貫通部１３２の周囲には、例えば、円筒状ないし環状のＺ軸方向上側（上方向）に突出する突出部１３４が設けられている。また、突出部１３４の上端には、水平方向外側に突出し、トグルキャップ１５の係合部１６（後述）と係合する係合突起１３４ａが設けられている。
【００２２】
取出部１４は、例えば、リング状に形成されたリング部１４１と、リング部１４１と対向して設けられた複数の羽根部材Ｂと、家庭用薄葉紙Ｐを取り出すための取出孔１４２を形成する取出状態と、取出孔１４２を拡張する拡張状態と、を切換える切換部１７と、を含んで構成される。
【００２３】
リング部１４１は、例えば、羽根部材Ｂと対向するように取出部１４の下端に配置され、周面が上底部１３１に固着保持され、ＸＹ平面視でリング状に形成された部位であり、中央部に家庭用薄葉紙Ｐを挿通させるリング部孔１４１１が設けられている。
ここで、羽根部材Ｂは、リング部１４１の上方に複数配置される羽根形状からなる部材であり、図３に示すように、同一面上でリング部孔１４１１の上方を覆うように複数配置されることで、家庭用薄葉紙Ｐの周面を把持して家庭用薄葉紙収納容器１００の内部（羽根部材Ｂの下方）を密封状態にする取出孔１４２を形成する。
【００２４】
切換部１７は、例えば、リング部１４１の上部に設けられた円筒部１７１と、円筒部１７１の上部に位置し、Ｚ軸回りに回動可能な回動部１７２と、リング部１４１と各羽根部材Ｂとを連結する第１連結軸１７３と、回動部１７２と各羽根部材Ｂとを連結する第２連結軸１７４と、回動部１７２の回動を操作する操作部１７５と、を含んで構成される。
【００２５】
円筒部１７１は、例えば、下端がリング部１４１に固着された円筒状の部位である。また、円筒部１７１の上端は、周方向に沿ってＺ軸方向に突起した凸部（図示省略）が形成されている。
【００２６】
回動部１７２は、例えば、下面が円筒部１７１に支持され、中央部に家庭用薄葉紙Ｐを挿通させる回動部孔１７２１の形成されたリング状の部材である。そして、回動部１７２の周端部の下面は、上記円筒部１７１の凸部に噛合する溝形状の凹部（図示省略）が設けられており、円筒部１７１に対してＺ軸回りに回動可能に形成されている。
【００２７】
第１連結軸１７３は、リング部１４１と各羽根部材Ｂとを上下に連結する軸である。
第２連結軸１７４は、回動部１７２と各羽根部材Ｂとを上下に連結する軸である。
操作部１７５は、回動部１７２の周面の一部から外部へ向けて突出した部材である。そして、使用者が操作部１７５を把持してＺ軸回りに所定角回転させることにより、回動部１７２の回動を操作することができる。
【００２８】
したがって、図３に示すように、リング部孔１４１１の上方を覆うように羽根部材Ｂを複数配置した状態（取出状態）より、使用者が操作部１７５を操作して回動部１７２をｒ１方向に回動させると、第２連結軸１７４が当該回動に連動して第１連結軸１７３回りに各羽根部材Ｂを点Ｐ１から点Ｐ２へ向けて回動させることができる。そして、羽根部材Ｂは、図３の二点鎖線で示すように、点Ｐ２まで回動するとリング部孔１４１１の略外周に位置するようになるので、取出孔１４２を拡張することができ、拡張状態を形成する。反対に、当該拡張状態において、回動部１７２をｒ２方向に回動させると、各羽根部材Ｂは点Ｐ２から点Ｐ１へ向けて回動するため、リング部孔１４１１の上方を覆う取出状態に切換えることができる。
なお、同一面上の各羽根部材Ｂを、点Ｐ１から点Ｐ２へ向けて回動させる場合、各々の羽根部材Ｂが接触して干渉し合うことによって、完全に全ての羽根部材Ｂをリング部孔１４１１の外周に位置させることが出来ないおそれがあるが、各羽根部材Ｂが上記接触位置で静止した場合でも、取出孔１４２は十分（家庭用薄葉紙Ｐを挿通させる上で遊びを持たせることが出来る程度に）拡張したものとなる。
【００２９】
トグルキャップ１５は、例えば、蓋体本体１３の上底部１３１に連結された基端部が、Ｙ軸方向に沿って設けられた図示しない回動軸により、蓋体本体１３の上底部１３１に対して回動自在に設けられている。
また、トグルキャップ１５の下面には、取出部１４を閉塞状態とした際に突出部１３４の係合突起１３４ａと係合する係合部１６が設けられている。この係合部１６は、取出部１４を閉塞する際に、突出部１３４の外周が当該係合部１６の内周と接するようにして内挿されるように、トグルキャップ１５の下面から円筒状ないし環状に突設されている。そして、トグルキャップ１５は、例えば、閉塞状態と開放状態の中間位置において安定な状態を維持するように付勢されており、係合突起１３４ａと係合部１６との間の係合が解除されると、当該中間位置に維持されるようになっている。
なお、トグルキャップ１５は、図１〜図２に図示される大きさに限定されるものではなく、取出孔１４２を塞ぐことが出来、容器本体１１に収納される家庭用薄葉紙Ｐを密封できる程度のもので足りる。
【００３０】
次に、実施形態１の家庭用薄葉紙収納容器１００における、家庭用薄葉紙Ｐの装填動作について説明する。
【００３１】
家庭用薄葉紙収納容器１００に家庭用薄葉紙Ｐを装填する場合、まず、容器本体１１と蓋体１２とを分離させ、ロール状に巻かれた家庭用薄葉紙Ｐを、容器本体１１の開口部からその内部に収納する。
次いで、切換部１７により取出孔１４２を拡張状態に切換えておき、上記収納された複数の家庭用薄葉紙Ｐの中から、１枚目の家庭用薄葉紙Ｐの一端を上方へ向けて引き出し、当該引き出した一端をリング部１４１のリング部孔１４１１，拡張状態にある取出孔１４２，回動部１７２の回動部孔１７２１に挿通させ、所定量回動部孔１７２１の上方に突出させて、上記家庭用薄葉紙Ｐを取出し可能な位置に配置する。
【００３２】
次いで、上記家庭用薄葉紙Ｐを挿通させた状態で容器本体１１に蓋体１２を装着させ、操作部１７５を介して回動部１７２をＺ軸回り（図３のｒ２方向）に回転させる。すると、図２及び図３に示すように、取出孔１４２が拡張状態から取出状態に切換えられる。最後に、トグルキャップ１５を閉じることで、装填動作が完了する。
【００３３】
以上説明したように、実施形態１に係る家庭用薄葉紙収納容器１００によれば、取出部１４は、リング状に形成されたリング部１４１と、リング部１４１と対向して設けられた複数の羽根部材Ｂと、複数の羽根部材Ｂを同一面上に配置して家庭用薄葉紙Ｐを取り出すための取出孔１４２を形成する取出状態と、取出状態の各羽根部材Ｂを同一面に直交する軸回りに回動させて取出孔１４２を拡張する拡張状態と、を切換える切換部１７と、を備えて構成される。
【００３４】
つまり、切換部１７により羽根部材Ｂを回動させることで、取出孔１４２の取出状態と拡張状態とを切換えることができる。そのため、家庭用薄葉紙Ｐの装填作業の際には切換部１７により取出孔１４２を拡張状態にすることで家庭用薄葉紙Ｐを取出孔１４２に容易に通すことができ、その後、切換部１７を切換えるだけで簡単に取出孔１４２を取出状態に戻すことが出来る。
したがって、家庭用薄葉紙収納容器１００は、家庭用薄葉紙の装填作業を容易に行うことが出来る家庭用薄葉紙収納容器であるといえる。
【００３５】
また、切換部１７は、複数の羽根部材Ｂの上面に対向して設けられ、Ｚ軸回りに回動可能なリング状の回動部１７２と、リング部１４１と各羽根部材Ｂとを連結する第１連結軸１７３と、回動部１７２と各羽根部材Ｂとを連結する第２連結軸１７４と、を有し、回動部１７２が回動することで第１連結軸１７３回りに羽根部材Ｂが回動するように構成される。
【００３６】
つまり、回動部１７２を回動させると、第２連結軸１７４が当該回動に連動して第１連結軸１７３回りに各羽根部材Ｂを回動させる。そのため、上記取出状態と拡張状態との切換えは回動部１７２を回動させるだけで実現することができるので、家庭用薄葉紙の装填作業を簡便な操作で行うことが可能となる。
【００３７】
また、切換部１７は、回動部１７２の回動を操作する操作部１７５を備える。
【００３８】
そのため、使用者は、操作部１７５を把持してＺ軸回りに所定角回転させるだけで、容易に上記取出状態と拡張状態との切換えを行うことができる。さらに、操作部１７５は、トグルキャップ１５の突出部１３４との係合を解除した状態で外部に露出するように設けられており、容器本体１１に蓋体１２を装着させた状態で操作が可能なので、一旦家庭用薄葉紙の装填作業を終えた段階でも、操作部１７５を介して容易に上記切換え動作を行うことができる。
【００３９】
（実施形態２）
次に、実施形態２の家庭用薄葉紙収納容器１００ａについて、図４及び図５を用いて説明する。
実施形態１の家庭用薄葉紙収納容器１００では、容器本体１１に蓋体１２を装着させ、トグルキャップ１５の係合を解除した状態で外部に露出する操作部１７５を介して、取出孔１４２を拡張状態から取出状態に切換えるように構成したが、実施形態２の家庭用薄葉紙収納容器１００ａでは、容器本体１１から蓋体１２を取り外した状態で、取出孔１４２を拡張状態から取出状態に切換えるように構成する。
以下の家庭用薄葉紙収納容器１００ａの説明においては、実施形態１の家庭用薄葉紙収納容器１００との相違点を中心に説明し、一致する構成には、同一の符号を付し、説明を省略する。
【００４０】
リング部１４１ａは、羽根部材Ｂと対向するように取出部１４の上端に設けられ、下面が円筒部１７１ａに固着保持され、ＸＹ平面視でリング状に形成された部位であり、中央部に家庭用薄葉紙Ｐを挿通させるリング部孔１４１１が設けられている。
【００４１】
切換部１７ａは、例えば、リング部１４１ａの下部に設けられた円筒部１７１ａと、円筒部１７１ａと上底部１３１とを連結する連結部１７６ａと、円筒部１７１ａの下部に位置し、Ｚ軸回りに回動可能な回動部１７２ａと、リング部１４１ａと各羽根部材Ｂとを連結する第１連結軸１７３と、回動部１７２ａと各羽根部材Ｂとを連結する第２連結軸１７４と、回動部１７２ａの回動を操作する操作部１７５ａと、を含んで構成される。
【００４２】
円筒部１７１ａは、例えば、上端がリング部１４１ａに固着され、周面に設けられた連結部１７６ａに支持される円筒状の部位である。また、円筒部１７１ａの下端は、周方向に沿って下方（Ｚ軸方向）に突起した凸部（図示省略）が形成されている。
【００４３】
回動部１７２ａは、例えば、羽根部材Ｂの下面（複数の羽根部材Ｂのリング部１４１との対向面と反対の面）に設けられ、上面が円筒部１７１ａ及び第２連結軸１７４に支持され、中央部に家庭用薄葉紙Ｐを挿通させる回動部孔１７２１の形成されたリング状の部材である。そして、回動部１７２ａの周端部の上面は、上記円筒部１７１ａの凸部に噛合する溝形状の凹部（図示省略）が設けられており、円筒部１７１ａに対してＺ軸回りに回動可能に形成されている。
【００４４】
操作部１７５ａは、回動部１７２ａの周面の一部から外部へ向けて突出した部材である。そのため、操作部１７５ａは、トグルキャップ１５の突出部１３４との係合を解除した状態で外部に露出しない。したがって、使用者は、容器本体１１から蓋体１２を取り外した状態で、操作部１７５ａを把持してＺ軸回りに所定角回転させることにより、回動部１７２ａの回動を操作することができる。
【００４５】
次に、実施形態２の家庭用薄葉紙収納容器１００ａにおける、家庭用薄葉紙Ｐの装填動作について説明する。
【００４６】
家庭用薄葉紙収納容器１００ａに家庭用薄葉紙Ｐを装填する場合、まず、容器本体１１と蓋体１２とを分離させ、ロール状に巻かれた家庭用薄葉紙Ｐを、容器本体１１の開口部からその内部に収納する。
次いで、切換部１７ａにより取出孔１４２を拡張状態に切換えておき、上記収納された複数の家庭用薄葉紙Ｐの中から、１枚目の家庭用薄葉紙Ｐの一端を上方へ向けて引き出し、当該引き出した一端をリング部１４１ａのリング部孔１４１１，拡張状態にある取出孔１４２，回動部１７２ａの回動部孔１７２１に挿通させ、所定量リング部孔１４１１の上方に突出させて、上記家庭用薄葉紙Ｐを取出し可能な位置に配置する。
【００４７】
次いで、操作部１７５ａを介して回動部１７２ａをＺ軸回り（図３のｒ２方向）に回転させる。そして、図５及び図３に示すように、取出孔１４２が拡張状態から取出状態に切換えられる。  
最後に、上記取出状態で容器本体１１に蓋体１２を装着させ、トグルキャップ１５を閉じることで、装填動作が完了する。
【００４８】
以上説明したように、実施形態２に係る家庭用薄葉紙収納容器１００ａによれば、家庭用薄葉紙収納容器１００と同様の効果を発揮することは勿論のこと、トグルキャップ１５の係合を解除した状態で回動部１７２ａ（及び操作部１７５ａ）が外部に露出しないように構成されるため、家庭用薄葉紙収納容器１００に比してトグルキャップ１５（係合部１６）を薄く形成することができるので、製造コストを抑えることができる。
【００４９】
（実施形態３）
次に、実施形態３の家庭用薄葉紙収納容器１００ｂについて、図６及び図７を用いて説明する。
実施形態２の家庭用薄葉紙収納容器１００ａにおいて、トグルキャップ１５の突出部１３４との係合を解除した状態で操作部１７５ａは外部に露出せず、容器本体１１から蓋体１２を取り外した状態で、使用者が操作部１７５ａを把持してＺ軸回りに所定角回転させることにより、回動部１７２ａの回動を操作することができるように構成した。一方、実施形態３の家庭用薄葉紙収納容器１００ｂでは、使用者が操作部１７５ａを直接操作することなく、容器本体１１に蓋体１２を装着する動作に連動して、取出孔１４２を拡張状態から取出状態に切換えるように構成する。
以下の家庭用薄葉紙収納容器１００ｂの説明においては、実施形態１〜２の家庭用薄葉紙収納容器１００〜１００ａとの相違点を中心に説明し、一致する構成には、同一の符号を付し、説明を省略する。
【００５０】
容器本体１１は、例えば、図６に示すように、上端部に開口が設けられた有底円筒状の部材である。そして、容器本体１１の上端部の外周面には、周方向に沿って雌ネジ部１３３の雌ネジ用のネジ溝と螺合する雄ネジ用のネジ溝１１ｂが形成されており、当該雌ネジ部１３３及びネジ溝１１ｂを介して容器本体１１と蓋体１２とが螺合により連結される。さらに、上端部の内周面には周方向に沿って所定間隔で上方（Ｚ軸方向）に突出した複数の突起部１１１ｂが設けられている。
【００５１】
リング部１４１ｂは、羽根部材Ｂと対向するように取出部１４の上端に設けられ、周面が後述の連結部１７６ｂに固着保持され、ＸＹ平面視でリング状に形成された部位であり、中央部に家庭用薄葉紙Ｐを挿通させるリング部孔１４１１が設けられている。
【００５２】
切換部１７ｂは、例えば、リング部１４１ｂの下部に設けられた円筒部１７１ｂと、リング部１４１ｂと上底部１３１とを連結する連結部１７６ｂと、円筒部１７１ｂの下部に位置し、Ｚ軸回りに回動可能な回動部１７２ａと、リング部１４１ｂと各羽根部材Ｂとを連結する第１連結軸１７３と、回動部１７２ａと各羽根部材Ｂとを連結する第２連結軸１７４と、回動部１７２ａの周面から所定の間隔で外方に突出する突部１７７ｂと、を含んで構成される。
【００５３】
円筒部１７１ｂは、例えば、上面がリング部１４１ｂに固着支持された円筒状の部位である。また、円筒部１７１ｂの下端は、周方向に沿って下方（Ｚ軸方向）に突起した回動部１７２ａの凹部と噛合する凸部（図示省略）が形成されている。
【００５４】
突部１７７ｂは、回動部１７２ａの周面に所定の間隔で複数設けられ、端部が容器本体１１の突起部１１１ｂの上方まで外方に突出した部材である。そして、突部１７７ｂは、容器本体１１と蓋体１２との螺合の際の回動操作時に、上記突起部１１１ｂと係合可能な高さ位置に設けられている。そのため、上記回動操作時に、突部１７７ｂが突起部１１１ｂと係合して回動部１７２ａをＺ軸回りに回動させるので、取出孔１４２の拡張状態と取出状態とを切換えることができる。なお、使用者が突部１７７ｂを把持して回転させることによっても、当然に上記拡張状態と取出状態との切換えは可能である。
【００５５】
次に、実施形態３の家庭用薄葉紙収納容器１００ｂにおける、家庭用薄葉紙Ｐの装填動作について説明する。
【００５６】
家庭用薄葉紙収納容器１００ｂに家庭用薄葉紙Ｐを装填する場合、まず、容器本体１１と蓋体１２とを分離させ、ロール状に巻かれた家庭用薄葉紙Ｐを、容器本体１１の開口部からその内部に収納する。
次いで、切換部１７ｂにより取出孔１４２を拡張状態に切換えておき、上記収納された複数の家庭用薄葉紙Ｐの中から、１枚目の家庭用薄葉紙Ｐの一端を上方へ向けて引き出し、当該引き出した一端をリング部１４１ｂのリング部孔１４１１，拡張状態にある取出孔１４２，回動部１７２ｂの回動部孔１７２１に挿通させ、所定量リング部孔１４１１の上方に突出させて、上記家庭用薄葉紙Ｐを取出し可能な位置に配置する。
【００５７】
次いで、容器本体１１と蓋体１２とを螺合させて回動操作を行う。すると、突部１７７ｂと突起部１１１ｂとが係合して回動部１７２ａがＺ軸回り（図３のｒ２方向）に回動し、取出孔１４２が拡張状態から取出状態に切換えられる。そして、上記回動操作が終了した時点で容器本体１１に蓋体１２が装着される。最後に、トグルキャップ１５を閉じることで、装填動作が完了する。
【００５８】
以上説明したように、実施形態３に係る家庭用薄葉紙収納容器１００ｂでは、容器本体１１は、周方向に所定の間隔で内面から上方に突出して設けられた複数の突起部１１１ｂを有し、切換部１７ｂは、回動部１７２ａの周面から所定の間隔で外方に突出する突部１７７ｂを備え、容器本体１１と蓋体１２との螺合の際の回動操作時に、突部１７７ｂが突起部１１ｂと係合して回動部１７２ａが回動することで、取出状態となるように構成されている。
【００５９】
つまり、家庭用薄葉紙収納容器１００ｂによると、家庭用薄葉紙収納容器１００ａと同様の効果を発揮することは勿論のこと、使用者が突部１７７ｂを直接操作することなく、容器本体１１に蓋体１２を装着する動作に連動して、取出孔１４２を拡張状態から取出状態に切換えることができるので、家庭用薄葉紙Ｐの装填作業が一層簡便化される。
【００６０】
（実施形態４）
次に、実施形態４の家庭用薄葉紙収納容器１００ｃについて、図８及び図９を用いて説明する。
実施形態１〜実施形態３の家庭用薄葉紙収納容器１００〜１００ｂにおいては、切換部１７〜１７ｂは、回動部１７２〜１７２ａを回動させることにより、取出孔１４２を拡張状態から取出状態に切換えることができるように構成したが、家庭用薄葉紙収納容器１００ｃでは、リング部を回動させることにより上記切換えが可能なように構成する。
【００６１】
以下の家庭用薄葉紙収納容器１００ｃの説明においては、実施形態１〜３の家庭用薄葉紙収納容器１００〜１００ｂとの相違点を中心に説明し、一致する構成には、同一の符号を付し、説明を省略する。
【００６２】
蓋体本体１３ｃは、例えば、ＰＥ（ポリエチレン）やＰＰ（ポリプロピレン）、ＰＥＴ（ポリエチレンテレフタレート）等から形成されており、貫通部１３２を有する。
また、蓋体本体１３ｃは、上底部１３１を有するとともに下端部が開放され、下端位置が後述の筒体１７８ｃと略等しい有底円筒状からなる部材である。また、蓋体本体１３ｃの内周面には、凹状に形成された凹部１３５ｃが形成されており、後述の筒体１７８ｃの凸部１７８１ｃと係合するように構成される。そのため、当該凹部１３５ｃと凸部１７８１ｃの噛合により、蓋体本体１３ｃと筒体１７８ｃとが連結するとともに、容器本体１１と筒体１７８ｃとが螺合により連結された状態で、蓋体本体１３ｃを筒体１７８ｃに対してＺ軸回りに回動させることができる。
【００６３】
取出部１４ｃは、例えば、リング状に形成されたリング部１４１ｃと、リング部１４１ｃと対向して設けられた複数の羽根部材Ｂと、家庭用薄葉紙Ｐを取り出すための取出孔１４２を形成する取出状態と、取出孔１４２を拡張する拡張状態と、を切換える切換部１７ｃと、を含んで構成される。
【００６４】
リング部１４１ｃは、羽根部材Ｂの上方に位置し、上底部１３１（蓋体本体１３ｃ）の一部として形成されたリング状の部材であり、中央部に家庭用薄葉紙Ｐを挿通させるリング部孔１４１１が設けられている。したがって、リング部１４１ｃは、蓋体本体１３ｃの回動に連動してＺ軸回りに回動できるように構成される。
【００６５】
切換部１７ｃは、例えば、複数の羽根部材Ｂの下面に対向して設けられ、上面部に回動部１７２ｃを備えた筒体１７８ｃと、リング部１４１ｃと各羽根部材Ｂとを連結する第１連結軸１７３ｃと、回動部１７２ｃと各羽根部材Ｂとを連結する第２連結軸１７４ｃと、を含んで構成される。
【００６６】
筒体１７８ｃは、下端部が開放された有底円筒状をなし、開放された下端部の内周面には容器本体１１の雄ネジ用のネジ溝と螺合する雌ネジ部１７８２ｃが設けられている。そのため、容器本体１１と筒体１７８ｃとは、当該容器本体１１のネジ溝と雌ネジ部１７８２ｃとの螺合により着脱自在に連結される。
また、筒体１７８ｃは、所定の高さ位置で外周面に亘って外方に突起した凸部１７８１ｃが形成されており、蓋体本体１３ｃの凹部１３５ｃと係合して蓋体本体１３ｃと連結される。
さらに、筒体１７８ｃの上面部は、中央部に家庭用薄葉紙Ｐを挿通させる回動部孔１７２１を備えるリング状に形成された回動部１７２ｃが設けられている。そして、回動部１７２ｃは、筒体１７８ｃの一部であるため、蓋体１２の回動に応じてＺ軸回りに回動する。
【００６７】
第１連結軸１７３ｃは、リング部１４１ｃと各羽根部材Ｂとを上下に連結する軸である。
第２連結軸１７４ｃは、回動部１７２ｃと各羽根部材Ｂとを上下に連結する軸である。
【００６８】
ここで、容器本体１１より蓋体１２を取り外した状態において、使用者が蓋体１２を回動させた場合、上記凸部１７８１ｃと凹部１３５ｃの係合により、蓋体本体１３ｃと筒体１７８ｃは蓋体１２の回動に応じてＺ軸回りに一体的に回動する。一方、容器本体１１に蓋体１２を装着した状態においては、使用者が容器本体１１を把持して蓋体１２を回動させた場合、蓋体本体１３ｃが凸部１７８１ｃと凹部１３５ｃの係合力に抗してＺ軸回りに回動する一方で、容器本体１１に装着（回動が規制）された筒体１７８ｃは静止状態を保つ。そのため、回動部１７２ｃを静止させた状態で、リング部１４１ｃのみをＺ軸回りに回動させることができる。
そのため、図９に示す取出状態において、容器本体１１に蓋体１２を装着し、容器本体１１を把持して蓋体１２（リング部１４１ｃ）をｒ１方向に回動させると、第１連結軸１７３ｃがリング部１４１ｃの回動に連動して第２連結軸１７４ｃ回りに各羽根部材Ｂを点Ｐ１´から点Ｐ２´へ向けて回動させ、取出孔１４２の拡張状態を形成できる。反対に、当該拡張状態において、蓋体１２（リング部１４１ｃ）をｒ２方向に回動させると、各羽根部材Ｂは点Ｐ２´から点Ｐ１´へ向けて回動するため、取出状態に切換えることができる。
【００６９】
次に、実施形態４の家庭用薄葉紙収納容器１００ｃにおける、家庭用薄葉紙Ｐの装填動作について説明する。
【００７０】
家庭用薄葉紙収納容器１００ｃに家庭用薄葉紙Ｐを装填する場合、まず、取出孔１４２を拡張状態に切換えておく。次いで、容器本体１１と蓋体１２とを分離させた状態で、ロール状に巻かれた家庭用薄葉紙Ｐを、容器本体１１の開口部からその内部に収納する。
次いで、上記収納された複数の家庭用薄葉紙Ｐの中から、１枚目の家庭用薄葉紙Ｐの一端を上方へ向けて引き出し、当該引き出した一端をリング部１４１ｃのリング部孔１４１１，拡張状態にある取出孔１４２，回動部１７２ｃの回動部孔１７２１に挿通させ、所定量リング部孔１４１１の上方に突出させて、上記家庭用薄葉紙Ｐを取出し可能な位置に配置する。
【００７１】
次いで、容器本体１１と筒体１７８ｃとを螺合させて双方を連結する。そして、上記螺合の終了後に、リング部１４１ｃを回転させると、取出孔１４２が拡張状態から取出状態に切換えられる。最後に、トグルキャップ１５を閉じることで、装填動作が完了する。
【００７２】
以上説明したように、実施形態４に係る家庭用薄葉紙収納容器１００ｃでは、切換部１７ｃは、複数の羽根部材Ｂの下面に対向して設けられ、上面部がリング状の回動部１７２ｃからなる筒体１７８ｃと、リング部１４１ｃと各羽根部材Ｂとを連結する第１連結軸１７３ｃと、回動部１７２ｃと各羽根部材Ｂとを連結する第２連結軸１７４ｃと、を備え、容器本体１１の外周面と筒体１７８ｃの内周面とが螺合により連結されるとともに、容器本体１１と筒体１７８ｃとの螺合終了後に、リング部１４１ｃ（蓋体本体１３ｃ）を回転させることにより羽根部材Ｂが第２連結軸１７４ｃ周りに回動して取出状態となるように構成されている。
【００７３】
つまり、家庭用薄葉紙収納容器１００ｃによると、家庭用薄葉紙収納容器１００と同様の効果を発揮することは勿論のこと、蓋体本体１３ｃを回転させるだけで取出孔１４２を拡張状態から取出状態に容易に切換えることができるので、家庭用薄葉紙Ｐの装填作業が一層簡便化される。
【００７４】
（実施形態５）
次に、実施形態５の家庭用薄葉紙収納容器１００ｄについて、図１０を用いて説明する。
実施形態３の家庭用薄葉紙収納容器１００ｂにおいては、回動操作時に回動部１７２ａの突部１７７ｂを容器本体１１に設けられた突起部１１１ｂと係合させて回動部１７２ａを回動するように構成したが、家庭用薄葉紙収納容器１００ｄでは、容器本体１１に突起部１１１ｂを設けることなく、容器本体１１に蓋体１２を装着する動作に連動して、回動部を回動するように構成する。
【００７５】
以下の家庭用薄葉紙収納容器１００ｄの説明においては、実施形態１〜４の家庭用薄葉紙収納容器１００〜１００ｃとの相違点を中心に説明し、一致する構成には、同一の符号を付し、説明を省略する。
【００７６】
容器本体１１は、例えば、図１０に示すように、上端部１１１ｄに開口が設けられた有底円筒状の部材である。そして、容器本体１１の上端部１１１ｄの外周面には、周方向に沿って雌ネジ部１３３の雌ネジ用のネジ溝と螺合する雄ネジ用のネジ溝１１ｂが形成されており、当該雌ネジ部１３３及びネジ溝１１ｂを介して容器本体１１と蓋体１２とが螺合により連結される。  
さらに、ネジ溝１１ｂの上端には、上記雄ネジ用のネジ溝が形成されていない円筒状の係合部１１ｄが設けられている。当該係合部１１ｄは、上記容器本体１１と蓋体１２とを螺合させて回動操作を行う際の、回動操作の終了間際（つまり、容器本体１１に蓋体１２が略取り付けられた状態）で、後述の回動部１７２ｄと高さ位置が一致するように構成されている。
【００７７】
リング部１４１ｄは、羽根部材Ｂと対向するように設けられ、周面と上端が上底部１３１（突出部１３４）に固着保持され、蓋体１２の回動に連動してＺ軸回りに回動可能に構成されている。また、リング部１４１ｄは、ＸＹ平面視でリング状に形成された部位であり、中央部に家庭用薄葉紙Ｐを挿通させるリング部孔１４１１が設けられている。
【００７８】
切換部１７ｄは、例えば、複数の羽根部材Ｂの下面に対向して設けられた回動部１７２ｄと、リング部１４１ｄと各羽根部材Ｂとを連結する第１連結軸１７３ｃと、回動部１７２ｄと各羽根部材Ｂとを連結する第２連結軸１７４ｃと、を含んで構成される。
【００７９】
回動部１７２ｄは、例えば、羽根部材Ｂの下面に設けられ、中央部に家庭用薄葉紙Ｐを挿通させる回動部孔１７２１の形成されたリング状の部材である。また、回動部１７２ｄの外径は、ネジ溝１１ｂの内径と略一致し、係合部１１ｄと回動部１７２ｄの高さ位置が一致した時点で係合部１１ｄと係合可能なように形成されている。
そのため、容器本体１１と蓋体１２との螺合による回動操作の終了間際で、係合部１１ｄと回動部１７２ｄの高さ位置が一致するので、当該一致後回動操作が終了するまでは、係合部１１ｄとの係合により回動部１７２ｄが回動不能状態となる。したがって、当該回動不能状態において、容器本体１１への蓋体１２の装着が完了するまで更に蓋体１２を回動させると、リング部１４１ｄの回動によって羽根部材Ｂが第２連結軸１７４ｃ回りに回動するので、取出孔１４２の拡張状態を取出状態に切換えることができる。
【００８０】
次に、実施形態５の家庭用薄葉紙収納容器１００ｄにおける、家庭用薄葉紙Ｐの装填動作について説明する。
【００８１】
家庭用薄葉紙収納容器１００ｄに家庭用薄葉紙Ｐを装填する場合、まず、容器本体１１と蓋体１２とを分離させ、ロール状に巻かれた家庭用薄葉紙Ｐを、容器本体１１の開口部からその内部に収納する。
次いで、切換部１７ｄにより取出孔１４２を拡張状態に切換えておき、上記収納された複数の家庭用薄葉紙Ｐの中から、１枚目の家庭用薄葉紙Ｐの一端を上方へ向けて引き出し、当該引き出した一端をリング部１４１ｄのリング部孔１４１１，拡張状態にある取出孔１４２，回動部１７２ｄの回動部孔１７２１に挿通させ、所定量リング部孔１４１１の上方に突出させて、上記家庭用薄葉紙Ｐを取出し可能な位置に配置する。
【００８２】
次いで、容器本体１１と蓋体１２とを螺合させて回動操作を行う。すると、当該回動操作の終了間際で係合部１１ｄと回動部１７２ｄの高さ位置が一致し、回動部１７２ｄが回動不能状態となる。そして、当該回動不能状態で、容器本体１１への蓋体１２の装着が完了するまで更に蓋体１２を回動させると、羽根部材Ｂが第２連結軸１７４ｃ回りに回動して、取出孔１４２の拡張状態が取出状態に切換わる。最後に、トグルキャップ１５を閉じることで、装填動作が完了する。
【００８３】
以上説明したように、実施形態５に係る家庭用薄葉紙収納容器１００ｄでは、切換部１７ｄは、複数の羽根部材Ｂの下面に対向して設けられたリング状の回動部１７２ｄと、リング部１４１ｄと各羽根部材Ｂとを連結する第１連結軸１７３ｃと、回動部１７２ｄと各羽根部材Ｂとを連結する第２連結軸１７４ｃと、を有し、容器本体１１と蓋体１２との螺合の際の回動操作時に、容器本体１１の係合部１１ｄが回動部１７２ｄと係合して回動部１７２ｄが回動不能状態とされ、更に蓋体１２を回動させることにより、羽根部材Ｂが第２連結軸１７４ｃ回りに回動して取出状態となるように構成されている。
【００８４】
つまり、家庭用薄葉紙収納容器１００ｄによると、容器本体１１に蓋体１２を装着する動作に連動して、取出孔１４２を拡張状態から取出状態に切換えることができるので、家庭用薄葉紙Ｐの装填作業が一層簡便化される。
【００８５】
なお、本発明の範囲は上記実施形態に限られることなく、本発明の趣旨を逸脱しない範囲において種々の改良並びに設計の変更を行っても良い。
【００８６】
具体的には、上記実施形態１〜５においては、複数の羽根部材Ｂが同一面上に配置されて取出孔１４２が形成され、各々の羽根部材Ｂを回動させて取出状態と拡張状態とが切換わるように構成したが、例えば、上下方向に僅かにずらして配置され、中心角が１８０°以上の２つの扇形状の部材を接離可能なように構成し、当該２つの部材が家庭用薄葉紙Ｐの周面を把持し得るまで接近させた状態（取出状態）で形成される孔を取出孔とし、上記取出状態から当該２つの部材を離間させて拡張状態に切換わるように構成したものであってもよい。
【符号の説明】
【００８７】
１００，１００ａ，１００ｂ，１００ｃ，１００ｄ    家庭用薄葉紙収納容器
１１        容器本体  
１１１ｂ    突起部
１２        蓋体
１４，１４ｃ      取出部
１４１，１４１ａ，１４１ｂ，１４１ｃ，１４１ｄ    リング部
１４２      取出孔
１７，１７ａ，１７ｂ，１７ｃ，１７ｄ    切換部
１７２，１７２ａ，１７２ｃ，１７２ｄ    回動部
１７３，１７３ｃ    第１連結軸
１７４，１７４ｃ    第２連結軸
１７５，１７５ａ    操作部
１７７ｂ    突部
１７８ｃ    筒体
Ｂ          羽根部材
Ｐ          家庭用薄葉紙
【図１】
0005390323.tif 000002
【図２】
0005390323.tif 000003
【図３】
0005390323.tif 000004
【図４】
0005390323.tif 000005
【図５】
0005390323.tif 000006
【図６】
0005390323.tif 000007
【図７】
0005390323.tif 000008
【図８】
0005390323.tif 000009
【図９】
0005390323.tif 000010
【図１０】
0005390323.tif 000011